(57)【要約】【課題】女性が外出時に口紅を適切な温度に保ってハンドバックやポーチ、ポケットなどに入れて携帯でき、小型化、軽量化した口紅用の携帯収納ケースを提供すること。【解決手段】口紅用の携帯収納ケース１において、電子冷却素子２の一方の面に収納部３を接続し、電子冷却素子２の他方の面に熱交換体４を接続し、図示しない電源回路で電子冷却素子２と電池収納部７とＤＣ電源接続部８とスイッチ９を接続し、筆スペース１２を設け、断熱体５で覆い、熱交換体４はカバー１０で覆い、収納部３の開口を開閉自在で密閉できる蓋６を設けたものである。【選択図】        図１
2004298427.tif 000002
【特許請求の範囲】
【請求項１】
電子冷却素子と、前記電子冷却素子の一方の面に接続する収納部と、前記電子冷却素子の他方の面に接続する熱交換体とを備えたことを特徴とする携帯収納ケース
【請求項２】
電子冷却素子と、前記電子冷却素子の一方の面に接続する収納部と、前記電子冷却素子の他方の面に接続する熱交換体と、前記電子冷却素子に通電するための電源又は電源を接続する手段と、前記電子冷却素子と前記電源又は電源を接続する手段を接続する電源回路とを備えたことを特徴とする携帯収納ケース
【請求項３】
請求項２において、電子冷却素子に通電する電源の極性を切り替える手段を備えた口紅用の携帯収納ケース
【請求項４】
請求項２又は請求項３において、電子冷却素子に通電するための電源を接続する手段として、電池収納部とＤＣ電源接続部の少なくとも一つを備えた口紅用の携帯収納ケース
【発明の詳細な説明】
【０００１】
【発明が属する技術分野】
本発明は、口紅等温度変化により変質するものを収納して携帯でき、その変質を防止する携帯収納ケースに関するものである。
【０００２】
【従来の技術】
女性の多くは、外出時、ハンドバック、ポーチ及びポケットなどに口紅を入れて携帯している。
しかし、口紅は、特に屋外では夏期等高温になると軟化してしまい、冬期等低温になると硬化してしまうというように変質し、非常に使い難く、うまく塗れないことがよくある。
口紅をポーチに入れ、夏期の午後１時前後に屋外に設置して、ポーチ内の温度と口紅の状態を検証した結果では、温度は４０℃を越え、口紅は軟化し、塗ってみると口紅のかたまりがべちゃっとつくという状態になった。
従って、このような変質を防ぐには、口紅を適切な温度に保つ必要がある。
【０００３】
これに対し、従来から化粧品の温度を保つ収納ケースはあり、その収納ケースには、化粧品収納用の内箱を外箱内に所定間隙をおいて配置し、内箱の外側に電子冷却素子の吸熱面を取付け、放熱面に熱交換フィンを取付け、間隙に連通する吸入口を外箱の後板に設け、間隙に連通する吹出し口を外箱の前板に設け、放熱フィンに送風する送風機を間隙内に配置し、電子冷却素子に通電する直流電源の極性を逆にも接続できるスイッチを設けたものがある（例えば、特許文献１参照。）。
【０００４】
【特許文献１】
実公平４−９９３６号公報
【０００５】
【発明が解決しようとする課題】
しかし、この場合、いろいろな化粧品の収納を想定しているので、収納ケースが大きく重くなり、また、その大きなケースと中に収納したいろいろな化粧品を冷却すると放熱量も多くなるため、熱交換フィンを冷却するために送風する送風機を収納ケースの内箱と外箱の間隙に配置する必要があり、その送風機の分も重くなり、必要な間隙も大きくなっている。
従って、ハンドバック、ポーチ及びポケットなどに入れるには大きすぎ、更に女性が外出時に携帯するには重く、明らかに口紅用として外出時に携帯するのは困難であるという問題がある。
【０００６】
本発明は、上記の問題を解決するためになされたもので、女性が外出時に口紅等を適切な温度に保ってハンドバックやポーチ、ポケットなどに入れて携帯できるように、小型化、軽量化した携帯収納ケースを提供することを目的とする。
【０００７】
【課題を解決するための手段】
本発明の請求項１の携帯収納ケースは、電子冷却素子と、電子冷却素子の一方の面に接続する収納部と、電子冷却素子の他方の面に接続する熱交換体とを備えたものである。
【０００８】
本発明の請求項２の携帯収納ケースは、電子冷却素子と、電子冷却素子の一方の面に接続する収納部と、電子冷却素子の他方の面に接続する熱交換体と、電子冷却素子に通電するための電源又は電源を接続する手段と、電子冷却素子と電源又は電源を接続する手段を接続する電源回路とを備えたものである。
【０００９】
本発明の請求項３の口紅用の携帯収納ケースは、電子冷却素子と、電子冷却素子の一方の面に接続する収納部と、電子冷却素子の他方の面に接続する熱交換体と、電子冷却素子に通電するための電源又は電源を接続する手段と、電子冷却素子と電源又は電源を接続する手段を接続する電源回路と、電子冷却素子に通電する電源の極性を切り替える手段とを備え収納部を冷却と加熱の両方できるようにしたものである。
【００１０】
本発明の請求項４の口紅用の携帯収納ケースは、電子冷却素子と、電子冷却素子の一方の面に接続する収納部と、電子冷却素子の他方の面に接続する熱交換体と、電子冷却素子に通電するための電源又は電源を接続する手段と、電子冷却素子と電源又は電源を接続する手段を接続する電源回路とを備え、電子冷却素子に通電するための電源を接続する手段として、電池収納部とＤＣ電源接続部の少なくとも一つを備えた構成としたもの、又は、電子冷却素子と、電子冷却素子の一方の面に接続する収納部と、電子冷却素子の他方の面に接続する熱交換体と、電子冷却素子に通電するための電源又は電源を接続する手段と、電子冷却素子と電源又は電源を接続する手段を接続する電源回路と、電子冷却素子に通電する電源の極性を切り替える手段とを備え収納部を冷却と加熱の両方できるようにし、電子冷却素子に通電するための電源を接続する手段として、電池収納部とＤＣ電源接続部の少なくとも一つを備えた構成としたものである。
【００１１】
【発明の実施の形態】
本発明の基本構成は、電子冷却素子と電子冷却素子の一方の面に接続する収納部と電子冷却素子の他方の面に接続する熱交換体を備えたものである。
そして、電子冷却素子に通電するための電源又は電源を接続する手段を備え、電子冷却素子と電源又は電源を接続する手段を接続する電源回路を備える。
【００１２】
収納部を冷却する場合は、電子冷却素子の収納部を接続する面が冷却面に、熱交換体を接続する面が加熱面になるように電源の極性を設定する。
収納部を加熱する場合は、電子冷却素子の収納部を接続する面が加熱面に、熱交換体を接続する面が冷却面になるように電源の極性を設定する。
【００１３】
また、電子冷却素子への通電をＯＮ、ＯＦＦする手段であるスイッチ等を備える。
【００１４】
収納部を冷却と加熱の両方できるようにする場合は、電子冷却素子に通電する電源の極性を切り替える手段、例えば電子冷却素子に通電する電源の極性を切り替え及びＯＦＦできるスイッチ等を備える。
【００１５】
収納部を設定温度に保てるようにする場合は、希望温度を設定できる手段と、温度センサと、温度センサにより電子冷却素子への通電のＯＮ、ＯＦＦ又は電源の極性を切り替える手段を備える。
【００１６】
なお、少なくとも収納部の外側を覆う断熱体を備える。
【００１７】
そして、収納部の開口を開閉自在な蓋を備える。
【００１８】
以下、本発明の実施の形態について、図１から図４を参照して説明する。
１は口紅用の携帯収納ケース、２はペルチェ素子等の電子冷却素子、３は収納部、４は熱交換体、５は断熱体、６は蓋、７及び８は電源を接続する手段である電池収納部及びＤＣ電源接続部、９はスイッチ、１０は熱交換体を覆うカバー、１１は通気口、１２は筆スペース、１３はひも状の熱交換体である。
図１及び図２は、一つの実施の形態で、図３及び図４は他の実施の形態であり、図１及び図３は口紅用の携帯収納ケースの概略正面断面図で、図２及び図４は口紅用の携帯収納ケースの概略側面断面図である。
【００１９】
図１及び図２の口紅用の携帯収納ケース１は、電子冷却素子２の一方の面に収納部３を接続し、電子冷却素子２の他方の面に熱交換体４を接続し、図示しない電源回路で電子冷却素子２と電池収納部７とＤＣ電源接続部８とスイッチ９を接続し、筆スペース１２を設け、断熱体５で覆い、熱交換体４はカバー１０で覆い、収納部３の開口を開閉自在で密閉できる蓋６を設けたものである。
【００２０】
収納部３は、図では直方体としているが、開口があり電子冷却素子の一方の面に接続でき口紅が数本入る大きさであれば、多面体、球状、半球状又は袋状などどのような形状でもよく、熱伝導率の高いアルミニウムなどの金属やアルミニウムより軽く、同等の放熱特性がある炭素繊維や炭素繊維を織物にしたもので構成する。
図では電子冷却素子２を収納部３の右側面に接続しているが、電子冷却素子２は収納部３のどこに接続してもよい。
【００２１】
熱交換体４は、図ではフィン状としているが、ピン状やその他必要な熱交換が可能な形状とすればよく、熱伝導率の高いアルミニウムなどの金属やアルミニウムより軽く、同等の放熱特性がある炭素繊維や炭素繊維を織物にしたもので構成する。
更に高い熱交換性能が必要な場合は、図３に示すように熱交換体４に口紅用の携帯収納ケース１外部に導出するひも状の熱交換体１３を接続する構成としてもよく、ひも状の熱交換体１３は炭素繊維や炭素繊維を織物にしたもので構成する。
【００２２】
図では電子冷却素子２、収納部３、電池収納部７、ＤＣ電源接続部８とスイッチ９及び筆スペース１２を断熱体５で覆い、断熱体５自体が口紅用の携帯収納ケース１の主な部分の外表面となっているが、収納部３を内容器とし、所定間隙をおいて外容器で覆い、内容器と外容器の間隙に断熱材を入れる構成としてもよい。そして、これらの場合、断熱材は必要な断熱性能により樹脂、発泡スチロール又は空気などで構成する。
【００２３】
蓋６は、収納部３と同じ材質、断熱体５と同じ材質又はそれらと異なる材質でもよく、また、収納部３と同じ材質としてその外側を断熱材で覆う構成又は蓋の内部に断熱材を入れる構成としてもよい。
更に、蓋６は、図４に示すように収納部３と同じような形状とし、それを逆にして収納部３の開口に合わせて開閉自在で密閉できる構成としてもよい。
【００２４】
電池収納部７は、電源である乾電池やリチウム電池や小型充電タイプの電池など、使用する電池に合わせて構成し、口紅用の携帯収納ケース１に設けた図示しないキャップ等を開けることにより電池の出し入れができるようにする。又は、電池は最初から組み込んだままとし、ＤＣ電源接続部８に接続した電源により電池を充電できる構成としてもよい。
【００２５】
ＤＣ電源接続部８は、自動車や家庭内で電池がなくても使用できるように設けたもので、自動車のＤＣ電源では直接通電でき、一般家庭用のＡＣ電源ではＤＣ電源に変換することにより通電できる。
【００２６】
図では電池収納部７とＤＣ電源接続部８を併設しているが、電池収納部７のみの構成やＤＣ電源接続部８のみの構成としてもよく、従って、電子冷却素子に通電するための電源を接続する手段として電池収納部７とＤＣ電源接続部８の少なくとも一つを備えた構成とする。
【００２７】
カバー１０は、熱交換体４を覆うもので、熱交換体４による熱交換が進むようカバー１０内外の通気のための通気口１１を複数設けた構成とする。
【００２８】
口紅用の携帯収納ケース１の手前の方には口紅を筆で塗る場合にも対応するように筆を入れる筆スペース１２を設けた構成としているが、筆スペース１２は他の部分に設けてもよい。
【００２９】
なお、１は、口紅用の携帯収納ケースとしているが、口紅以外でも口紅ぐらいの大きさのものであれば、アイシャドー、マスカラ、ファンデーション及びグロス等の化粧品、医薬品、サプリメント並びに飴及びチョコレート等の食品などの携帯収納ケースとしても使用できる。
【００３０】
【発明の効果】
本発明は、以上説明したように構成されているので、以下に記載するような効果を奏する。
本発明は、収納部３を口紅数本が入る大きさとし、熱伝導率の高いアルミニウムや炭素繊維で構成し、断熱体５で覆う構成としたので、熱移動が少なくなり、冷却又は加熱特性も優れ、口紅の適温維持のための断熱特性も優れ、熱交換体４を強制的に冷却する送風機が必要なくなり、小型化、軽量化できる。
そして、女性が外出時に口紅を適切な温度に保ってハンドバックやポーチ、ポケットなどに入れて携帯でき、夏期等高温の環境では冷却して軟化を防止でき、冬期等低温の環境では加熱して硬化を防止でき、口紅を快適に使用でき、長期間の使用も可能となる。
【００３１】
更に、口紅用の携帯収納ケース１の外部に導出するひも状の熱交換体１３を熱交換体４に接続した構成によれば、熱交換性能が向上する。
【００３２】
なお、口紅以外でも口紅ぐらいの大きさのものであれば、アイシャドー、マスカラ、ファンデーション及びグロス等の化粧品、医薬品、サプリメント並びに飴及びチョコレート等の食品なども収納できる。
【図面の簡単な説明】
【図１】本発明の一つの実施の形態に係る口紅用の携帯収納ケースの概略正面断面図である。
【図２】本発明の一つの実施の形態に係る口紅用の携帯収納ケースの概略側面断面図である。
【図３】本発明の他の実施の形態に係る口紅用の携帯収納ケースの概略正面断面図である。
【図４】本発明の他の実施の形態に係る口紅用の携帯収納ケースの概略側面断面図である。
【符号の説明】
１  口紅用の携帯収納ケース
２  電子冷却素子
３  収納部
４  熱交換体
５  断熱体
６  蓋
７  電池収納部
８  ＤＣ電源接続部
９  スイッチ
１０  カバー
１１  通気口
１２  筆スペース
１３  ひも状の熱交換体
【図１】
2004298427.tif 000003
【図２】
2004298427.tif 000004
【図３】
2004298427.tif 000005
【図４】
2004298427.tif 000006